(57)【要約】【課題】ＤＰＣＨおよびＤＳＣＨの双方に対する送信電力制御を行うことが可能な無線通信装置を得ること。【解決手段】本発明にかかる無線通信装置にあっては、上り個別物理チャネル（ＤＰＣＨ）を用いて下り共通物理チャネル（ＤＳＣＨ）の送信電力を制御する移動局側の構成として、ＤＳＣＨのｏｐｅｎ時に初期送信電力を設定し、その後、ＤＳＣＨ非受信期間がｎフレーム以上ある場合に、その受信フレームより前に初期送信電力を再設定する制御部８と、ＤＳＣＨによる受信中に、基地局に対して送信電力の上げ下げまたは保持を指示するためのＴＰＣビットを生成するＴＰＣビット生成部９と、前記初期送信電力および前記ＴＰＣビットをＤＰＣＨを用いて基地局へ通知する送信制御部１１と、を備えることを特徴とする。【選択図】        図１
2006254504.tif 000002
【特許請求の範囲】
【請求項１】
「複数の移動局が基地局に対して個別にデータと制御情報を送信するための上り個別物理チャネル」を用いて「１つの物理チャネルをユーザ毎に時間多重して基地局から複数の移動局に対してデータを送信するための下り時分割物理チャネル」の送信電力を制御する移動局側の無線通信装置において、
下り時分割物理チャネルのリンク生成時に初期送信電力を設定し、その後、下り時分割物理チャネル非受信期間がｎフレーム以上ある場合に、その受信フレームより前に初期送信電力を再設定する制御手段と、
下り時分割物理チャネルによる受信中に、基地局に対して送信電力の上げ下げまたは保持を指示するためのＴＰＣ（送信電力制御）ビットを生成するＴＰＣビット生成手段と、
前記初期送信電力および前記ＴＰＣビットを上り個別物理チャネルの１つである「複数の移動局が基地局に対して個別に制御情報を送信するための上り個別制御物理チャネル」にマッピングし、マッピング後の送信データを基地局へ通知する送信制御手段と、
を備えることを特徴とする無線通信装置。
【請求項２】
さらに、下り時分割物理チャネルのリンク生成時に、下り時分割物理チャネル通信を行う基地局から送信される「基地局が複数の移動局に対してパイロットを送信するための下り共通パイロットチャネル」または「基地局が複数の移動局に対して個別に制御情報を送信するための下り個別制御物理チャネル」のパイロットを検波する検波手段と、
前記パイロットの検波結果とＡＧＣの制御利得に基づいて、基地局との下り共通パイロットチャネルまたは下り個別制御物理チャネルを基準とした下り時分割物理チャネルの回線品質情報、または当該回線品質情報とターゲット品質値との差分（回線品質差分情報）を計算する受信品質計算手段と、
を備え、
前記回線品質情報または回線品質差分情報を前記送信データとして基地局に対して通知することを特徴とする請求項１に記載の無線通信装置。
【請求項３】
前記受信品質計算手段は、
前記パイロットの検波結果とＡＧＣの制御利得に基づいて、Ｎスロット平均後またはＭフレーム平均後の下り個別制御物理チャネルの所定の回線品質情報を計算し、
その後、下り個別制御物理チャネルの回線品質情報に基づいて、基地局が下り個別制御物理チャネルにより送信した時と同じ送信パワーで下り時分割物理チャネルによる送信を行った場合の、下り時分割物理チャネルの回線品質情報を計算することを特徴とする請求項２に記載の無線通信装置。
【請求項４】
前記受信品質計算手段は、
下り時分割物理チャネルで通信を行う基地局から送信される「基地局が複数の移動局に対して時間多重でパイロットと制御情報を送信するための下り時分割制御物理チャネル」のパイロットを検波し、当該パイロットの検波結果とＡＧＣの制御利得に基づいて、Ｎスロット平均後またはＮフレーム平均後の下り時分割制御物理チャネルの所定の回線品質情報を計算することを特徴とする請求項２に記載の無線通信装置。
【請求項５】
前記ＴＰＣビット生成手段は、
下り時分割物理チャネル用の送信電力制御量を予め決めておき、
上り個別物理チャネルフレーム内のスロットが下り時分割物理チャネル用の送信電力のｕｐ／ｄｏｗｎを指示するための第１のＴＰＣビット通知スロットで、かつ自局宛の下り時分割物理チャネルが存在しない場合に、前回のＴＰＣビット値をホールドし、
上り個別物理チャネルフレーム内のスロットが前記第１のＴＰＣビット通知スロットで、かつ自局宛の下り時分割物理チャネルが存在する場合に、前記回線品質と前記基準品質に基づいて新たな下り時分割物理チャネル用のＴＰＣビットを生成し、
上り個別物理チャネルフレーム内のスロットが「基地局が複数の移動局に対して個別にデータと制御情報を送信するための下り個別物理チャネル」用の送信電力のｕｐ／ｄｏｗｎを指示するための第２のＴＰＣビット通知スロットの場合に、下り個別物理チャネル用のＴＰＣビットを生成することを特徴とする請求項２，３または４に記載の無線通信装置。
【請求項６】
前記ＴＰＣビット生成手段は、
上り個別物理チャネルフレーム内のすべてのスロットで下り個別物理チャネル用および下り時分割物理チャネル用のＴＰＣビットを生成し、
前記下り時分割物理チャネル用のＴＰＣビットの生成処理においては、
自局宛の下り時分割物理チャネルが存在しない場合に、前回のＴＰＣビット値をホールドし、
自局宛の下り時分割物理チャネルが存在する場合に、前記回線品質と上記基準品質に基づいて新たなＴＰＣビットを生成することを特徴とする請求項２，３または４に記載の無線通信装置。
【請求項７】
下り時分割物理チャネルの受信バースト期間が一定期間にわたる場合は、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする請求項２〜６のいずれか一つに記載の無線通信装置。
【請求項８】
周期的に、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする請求項２〜６のいずれか一つに記載の無線通信装置。
【請求項９】
「複数の移動局が基地局に対して個別にデータと制御情報を送信するための上り個別物理チャネル」を用いて「１つの物理チャネルをユーザ毎に時間多重して基地局から複数の移動局に対してデータを送信するための下り時分割物理チャネル」の送信電力を制御する移動局側の送信電力制御方法において、
下り時分割物理チャネルのリンク生成時に初期送信電力情報を設定し、当該初期送信電力情報を上り個別物理チャネルの制御で基地局へ通知する第１の送信ステップと、
下り時分割物理チャネル非受信期間がｎフレーム以上ある場合に、その受信フレームより前に初期送信電力情報を再設定する再設定ステップと、
下り時分割物理チャネルによる受信中に、基地局に対して送信電力の上げ下げまたは保持を指示するためのＴＰＣビットを生成するＴＰＣビット生成ステップと、
前記再設定後の初期送信電力情報および前記ＴＰＣビットを上り個別物理チャネルの１つである「複数の移動局が基地局に対して個別に制御情報を送信するための上り個別制御物理チャネル」にマッピングし、マッピング後の送信データを基地局へ通知する第２の送信ステップと、
を含むことを特徴とする送信電力制御方法。
【請求項１０】
さらに、下り時分割物理チャネルのリンク生成時に、下り時分割物理チャネル通信を行う基地局から送信される「基地局が複数の移動局に対してパイロットを送信するための下り共通パイロットチャネル」または「基地局が複数の移動局に対して個別に制御情報を送信するための下り個別制御物理チャネル」のパイロットを検波する検波ステップと、
前記パイロットの検波結果とＡＧＣの制御利得に基づいて、基地局との下り共通パイロットチャネルまたは下り個別制御物理チャネルを基準とした下り時分割物理チャネルの回線品質情報、または当該回線品質情報と基準品質値との差分（回線品質差分情報）を計算する受信品質計算ステップと、
を含み、
前記回線品質情報または回線品質差分情報を前記送信データとして基地局に対して通知することを特徴とする請求項９に記載の送信電力制御方法。
【請求項１１】
前記受信品質計算ステップでは、
前記パイロットの検波結果とＡＧＣの制御利得に基づいて、Ｎスロット平均後またはＭフレーム平均後の下り個別制御物理チャネルの所定の回線品質情報を計算し、
その後、下り個別制御物理チャネルの回線品質情報に基づいて、基地局が下り個別制御物理チャネルにより送信した時と同じ送信パワーで下り時分割物理チャネルによる送信を行った場合の、下り時分割物理チャネルの回線品質情報を計算することを特徴とする請求項１０に記載の送信電力制御方法。
【請求項１２】
前記受信品質計算ステップでは、
下り時分割物理チャネル通信を行う基地局から送信される「基地局が複数の移動局に対して時間多重でパイロットと制御情報を送信するための下り時分割制御物理チャネル」のパイロットを検波し、当該パイロットの検波結果とＡＧＣの制御利得に基づいて、Ｎスロット平均後またはＮフレーム平均後の下り時分割制御物理チャネルの所定の回線品質情報を計算することを特徴とする請求項１０に記載の送信電力制御方法。
【請求項１３】
前記ＴＰＣビット生成ステップでは、
下り時分割物理チャネル用の送信電力制御量を予め決めておき、
上り個別物理チャネルフレーム内のスロットが下り時分割物理チャネル用の送信電力のｕｐ／ｄｏｗｎを指示するための第１のＴＰＣビット通知スロットで、かつ自局宛の下り時分割物理チャネルが存在しない場合に、前回のＴＰＣビット値をホールドし、
上り個別物理チャネルフレーム内のスロットが前記第１のＴＰＣビット通知スロットで、かつ自局宛の下り時分割物理チャネルが存在する場合に、前記回線品質と前記基準品質に基づいて新たな下り時分割物理チャネル用のＴＰＣビットを生成し、
上り個別物理チャネルフレーム内のスロットが「基地局が複数の移動局に対して個別にデータと制御情報を送信するための下り個別物理チャネル」用の送信電力のｕｐ／ｄｏｗｎを指示するための第２のＴＰＣビット通知スロットの場合に、下り個別物理チャネル用のＴＰＣビットを生成することを特徴とする請求項１０、１１または１２に記載の送信電力制御方法。
【請求項１４】
前記ＴＰＣビット生成ステップでは、
上り個別物理チャネルフレーム内のすべてのスロットで下り個別物理チャネル用および下り時分割物理チャネル用のＴＰＣビットを生成し、
前記下り時分割物理チャネル用のＴＰＣビットの生成処理においては、
自局宛の下り時分割物理チャネルが存在しない場合に、前回のＴＰＣビット値をホールドし、
自局宛の下り時分割物理チャネルが存在する場合に、前記回線品質と上記基準品質に基づいて新たなＴＰＣビットを生成することを特徴とする請求項１０，１１または１２に記載の送信電力制御方法。
【請求項１５】
下り時分割物理チャネルの受信バースト期間が一定期間にわたる場合は、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする請求項１０〜１４のいずれか一つに記載の送信電力制御方法。
【請求項１６】
周期的に、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする請求項１０〜１４のいずれか一つに記載の送信電力制御方法。
【発明の詳細な説明】
【技術分野】
【０００１】
本発明は、移動体無線通信で用いられる無線通信装置に関するものであり、特に、上りＤＰＣＨ（Dedicated  Physical  Channel：個別物理チャネル）を用いてＤＳＣＨ（Downlink  Shared  Channel：下り時分割物理チャネル）の送信電力を制御する無線通信装置および送信電力制御方法に関するものである。
【背景技術】
【０００２】
以下、従来の無線通信装置について説明する。送信電力制御を行う従来の無線通信装置としては、たとえば、下記特許文献１に記載された装置がある。上記公報記載の無線通信装置において、基地局から送信された拡散信号を受信し、当該拡散信号を逆拡散することによりシンボルデータを得ている移動局は、シンボルデータに含まれているパイロットシンボルを用いて同期確立処理を行うとともに、パイロットシンボルのパターンに基づいて基地局の指示による制御を行う。
【０００３】
そして、上記従来の無線通信装置は、ＴＰＣ（Transmission  Power  Control：送信電力制御）用のシンボルを廃止し、パイロットシンボルにＴＰＣシンボルを置き換えることによって、フレーム効率を向上させ、ＴＰＣシンボル情報の自由度を増やしている。
【０００４】
【特許文献１】特開２０００−１１５０７２号公報
【発明の開示】
【発明が解決しようとする課題】
【０００５】
しかしながら、上記、従来の無線通信装置においては、ＴＰＣシンボルの自由度は向上しているが、ＤＰＣＨ単独の送信電力制御しか考慮されておらず、ＤＳＣＨとＤＰＣＨの両ＣＨに対する送信電力制御については考慮されていない、という問題があった。
【０００６】
また、従来の無線通信装置においては、初期送信電力の更新アルゴリズムについては言及されておらず、ＴＰＣ精度が向上した場合であっても、ＤＳＣＨのようにバースト的に送信されるチャネルに対しては効果が期待できない、という問題があった。
【０００７】
本発明は、上記に鑑みてなされたものであって、ＤＰＣＨおよびＤＳＣＨの双方に対する送信電力制御を行うことが可能な無線通信装置および送信電力制御方法を得ることを目的とする。
【課題を解決するための手段】
【０００８】
上述した課題を解決し、目的を達成するために、本発明にかかる無線通信装置にあっては、「複数の移動局が基地局に対して個別にデータと制御情報を送信するための上り個別物理チャネル」を用いて「１つの物理チャネルをユーザ毎に時間多重して基地局から複数の移動局に対してデータを送信するための下り時分割物理チャネル」の送信電力を制御する移動局側の構成として、下り時分割物理チャネルのリンク生成時に初期送信電力を設定し、その後、下り時分割物理チャネル非受信期間がｎフレーム以上ある場合に、その受信フレームより前に初期送信電力を再設定する制御手段と、下り時分割物理チャネルによる受信中に、基地局に対して送信電力の上げ下げまたは保持を指示するためのＴＰＣ（送信電力制御）ビットを生成するＴＰＣビット生成手段と、前記初期送信電力および前記ＴＰＣビットを上り個別物理チャネルの１つである「複数の移動局が基地局に対して個別に制御情報を送信するための上り個別制御物理チャネル」にマッピングし、マッピング後の送信データを基地局へ通知する送信制御手段と、を備えることを特徴とする。
【０００９】
つぎの発明にかかる無線通信装置にあっては、さらに、下り時分割物理チャネルのリンク生成時に、下り時分割物理チャネル通信を行う基地局から送信される「基地局が複数の移動局に対してパイロットを送信するための下り共通パイロットチャネル」または「基地局が複数の移動局に対して個別に制御情報を送信するための下り個別制御物理チャネル」のパイロットを検波する検波手段と、前記パイロットの検波結果とＡＧＣの制御利得に基づいて、基地局との下り共通パイロットチャネルまたは下り個別制御物理チャネルを基準とした下り時分割物理チャネルの回線品質情報、または当該回線品質情報とターゲット品質値との差分（回線品質差分情報）を計算する受信品質計算手段と、を備え、前記回線品質情報または回線品質差分情報を前記送信データとして基地局に対して通知することを特徴とする。
【００１０】
つぎの発明にかかる無線通信装置において、前記受信品質計算手段は、前記パイロットの検波結果とＡＧＣの制御利得に基づいて、Ｎスロット平均後またはＭフレーム平均後の下り個別制御物理チャネルの所定の回線品質情報を計算し、その後、下り個別制御物理チャネルの回線品質情報に基づいて、基地局が下り個別制御物理チャネルにより送信した時と同じ送信パワーで下り時分割物理チャネルによる送信を行った場合の、下り時分割物理チャネルの回線品質情報を計算することを特徴とする。
【００１１】
つぎの発明にかかる無線通信装置において、前記受信品質計算手段は、下り時分割物理チャネルで通信を行う基地局から送信される「基地局が複数の移動局に対して時間多重でパイロットと制御情報を送信するための下り時分割制御物理チャネル」のパイロットを検波し、当該パイロットの検波結果とＡＧＣの制御利得に基づいて、Ｎスロット平均後またはＮフレーム平均後の下り時分割制御物理チャネルの所定の回線品質情報を計算することを特徴とする。
【００１２】
つぎの発明にかかる無線通信装置において、前記ＴＰＣビット生成手段は、下り時分割物理チャネル用の送信電力制御量を予め決めておき、上り個別物理チャネルフレーム内のスロットが下り時分割物理チャネル用の送信電力のｕｐ／ｄｏｗｎを指示するための第１のＴＰＣビット通知スロットで、かつ自局宛の下り時分割物理チャネルが存在しない場合に、前回のＴＰＣビット値をホールドし、上り個別物理チャネルフレーム内のスロットが前記第１のＴＰＣビット通知スロットで、かつ自局宛の下り時分割物理チャネルが存在する場合に、前記回線品質と前記基準品質に基づいて新たな下り時分割物理チャネル用のＴＰＣビットを生成し、上り個別物理チャネルフレーム内のスロットが「基地局が複数の移動局に対して個別にデータと制御情報を送信するための下り個別物理チャネル」用の送信電力のｕｐ／ｄｏｗｎを指示するための第２のＴＰＣビット通知スロットの場合に、下り個別物理チャネル用のＴＰＣビットを生成することを特徴とする。
【００１３】
つぎの発明にかかる無線通信装置において、前記ＴＰＣビット生成手段は、上り個別物理チャネルフレーム内のすべてのスロットで下り個別物理チャネル用および下り時分割物理チャネル用のＴＰＣビットを生成し、前記下り時分割物理チャネル用のＴＰＣビットの生成処理においては、自局宛の下り時分割物理チャネルが存在しない場合に、前回のＴＰＣビット値をホールドし、自局宛の下り時分割物理チャネルが存在する場合に、前記回線品質と上記基準品質に基づいて新たなＴＰＣビットを生成することを特徴とする。
【００１４】
つぎの発明にかかる無線通信装置にあっては、下り時分割物理チャネルの受信バースト期間が一定期間にわたる場合は、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする。
【００１５】
つぎの発明にかかる無線通信装置にあっては、周期的に、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする。
【００１６】
つぎの発明にかかる送信電力制御方法にあっては、「複数の移動局が基地局に対して個別にデータと制御情報を送信するための上り個別物理チャネル」を用いて「１つの物理チャネルをユーザ毎に時間多重して基地局から複数の移動局に対してデータを送信するための下り時分割物理チャネル」の送信電力を制御する移動局側が、下り時分割物理チャネルのリンク生成時に初期送信電力情報を設定し、当該初期送信電力情報を上り個別物理チャネルの制御で基地局へ通知する第１の送信ステップと、下り時分割物理チャネル非受信期間がｎフレーム以上ある場合に、その受信フレームより前に初期送信電力情報を再設定する再設定ステップと、下り時分割物理チャネルによる受信中に、基地局に対して送信電力の上げ下げまたは保持を指示するためのＴＰＣビットを生成するＴＰＣビット生成ステップと、前記再設定後の初期送信電力情報および前記ＴＰＣビットを上り個別物理チャネルの１つである「複数の移動局が基地局に対して個別に制御情報を送信するための上り個別制御物理チャネル」にマッピングし、マッピング後の送信データを基地局へ通知する第２の送信ステップと、を含むことを特徴とする。
【００１７】
つぎの発明にかかる送信電力制御方法にあっては、さらに、下り時分割物理チャネルのリンク生成時に、下り時分割物理チャネル通信を行う基地局から送信される「基地局が複数の移動局に対してパイロットを送信するための下り共通パイロットチャネル」または「基地局が複数の移動局に対して個別に制御情報を送信するための下り個別制御物理チャネル」のパイロットを検波する検波ステップと、前記パイロットの検波結果とＡＧＣの制御利得に基づいて、基地局との下り共通パイロットチャネルまたは下り個別制御物理チャネルを基準とした下り時分割物理チャネルの回線品質情報、または当該回線品質情報と基準品質値との差分（回線品質差分情報）を計算する受信品質計算ステップと、を含み、前記回線品質情報または回線品質差分情報を前記送信データとして基地局に対して通知することを特徴とする。
【００１８】
つぎの発明にかかる送信電力制御方法において、前記受信品質計算ステップでは、前記パイロットの検波結果とＡＧＣの制御利得に基づいて、Ｎスロット平均後またはＭフレーム平均後の下り個別制御物理チャネルの所定の回線品質情報を計算し、その後、下り個別制御物理チャネルの回線品質情報に基づいて、基地局が下り個別制御物理チャネルにより送信した時と同じ送信パワーで下り時分割物理チャネルによる送信を行った場合の、下り時分割物理チャネルの回線品質情報を計算することを特徴とする。
【００１９】
つぎの発明にかかる送信電力制御方法において、前記受信品質計算ステップでは、下り時分割物理チャネル通信を行う基地局から送信される「基地局が複数の移動局に対して時間多重でパイロットと制御情報を送信するための下り時分割制御物理チャネル」のパイロットを検波し、当該パイロットの検波結果とＡＧＣの制御利得に基づいて、Ｎスロット平均後またはＮフレーム平均後の下り時分割制御物理チャネルの所定の回線品質情報を計算することを特徴とする。
【００２０】
つぎの発明にかかる送信電力制御方法において、前記ＴＰＣビット生成ステップでは、下り時分割物理チャネル用の送信電力制御量を予め決めておき、上り個別物理チャネルフレーム内のスロットが下り時分割物理チャネル用の送信電力のｕｐ／ｄｏｗｎを指示するための第１のＴＰＣビット通知スロットで、かつ自局宛の下り時分割物理チャネルが存在しない場合に、前回のＴＰＣビット値をホールドし、上り個別物理チャネルフレーム内のスロットが前記第１のＴＰＣビット通知スロットで、かつ自局宛の下り時分割物理チャネルが存在する場合に、前記回線品質と前記基準品質に基づいて新たな下り時分割物理チャネル用のＴＰＣビットを生成し、上り個別物理チャネルフレーム内のスロットが「基地局が複数の移動局に対して個別にデータと制御情報を送信するための下り個別物理チャネル」用の送信電力のｕｐ／ｄｏｗｎを指示するための第２のＴＰＣビット通知スロットの場合に、下り個別物理チャネル用のＴＰＣビットを生成することを特徴とする。
【００２１】
つぎの発明にかかる送信電力制御方法において、前記ＴＰＣビット生成ステップでは、上り個別物理チャネルフレーム内のすべてのスロットで下り個別物理チャネル用および下り時分割物理チャネル用のＴＰＣビットを生成し、前記下り時分割物理チャネル用のＴＰＣビットの生成処理においては、自局宛の下り時分割物理チャネルが存在しない場合に、前回のＴＰＣビット値をホールドし、自局宛の下り時分割物理チャネルが存在する場合に、前記回線品質と上記基準品質に基づいて新たなＴＰＣビットを生成することを特徴とする。
【００２２】
つぎの発明にかかる送信電力制御方法にあっては、下り時分割物理チャネルの受信バースト期間が一定期間にわたる場合は、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする。
【００２３】
つぎの発明にかかる送信電力制御方法にあっては、周期的に、下り個別制御物理チャネル、下り共通パイロットチャネルまたは下り時分割制御物理チャネルの回線品質情報あるいは回線品質差分情報を、次回の下り時分割物理チャネル受信開始前までに基地局に対して通知することを特徴とする。
【発明の効果】
【００２４】
本発明によれば、ＤＳＣＨに関する初期送信電力情報およびＴＰＣビットをＤＰＣＨの１つであるＤＰＣＣＨを用いて基地局へ通知する構成とした。これにより、ＤＰＣＨに対する送信電力制御に加えて、さらに、ＤＳＣＨに対する送信電力制御を実現することが可能な無線通信装置を得ることができる、という効果を奏する。
【００２５】
つぎの発明によれば、移動局が基地局に対してＤＳＣＨ通信前に予めＤＳＣＨの回線品質情報または回線品質差分情報を通知する構成としたため、ＤＳＣＨ通信の開始時から適切な回線品質でデータを受信することができる。これにより、送信電力不足による再送要求などのトラヒックの低減、およびデータ受信遅延量の低減を実現することが可能な無線通信装置を得ることができる。また、送信電力過多による他セルへの干渉電力を低減することが可能になるため、他セルにおける再送要求量を低減可能な無線通信装置を得ることができる、という効果を奏する。
【００２６】
つぎの発明によれば、移動局が基地局に対してＤＳＣＨ通信中に所要送信電力判定要素を通知する構成とした。これにより、ＤＳＣＨ通信中であっても適切な回線品質でデータを受信可能な無線通信装置を得ることができる、という効果を奏する。
【００２７】
つぎの発明によれば、移動局が基地局に対してＤＳＣＨ通信中に所要送信電力判定要素を通知する構成とした。これにより、ＤＳＣＨ通信中であっても適切な回線品質でデータを受信可能な無線通信装置を得ることができる、という効果を奏する。
【００２８】
つぎの発明によれば、移動局がＤＳＣＨ用の送信電力制御をＤＳＣＨフレーム単位で行うこととした。これにより、フェージング等の受信レベル変動に動的に追従することが可能な無線通信装置を得ることができる、という効果を奏する。
【００２９】
つぎの発明によれば、移動局がＤＳＣＨ用の送信電力制御をＤＳＣＨスロット単位で行う構成とした。これにより、フェージング等の受信レベル変動に、さらに高速に追従することが可能な無線通信装置を得ることができる、という効果を奏する。
【００３０】
つぎの発明によれば、バースト期間がある一定期間になると、移動局と基地局間の電波伝搬条件が変わってくるため、ある一定バースト期間後に初期送信電力値を更新する構成とした。これにより、次回の送信時の初期送信電力を適切に決定することが可能な無線通信装置を得ることができる、という効果を奏する。
【００３１】
つぎの発明によれば、周期的に初期送信電力を更新する構成とした。これにより、次回の送信時の初期送信電力をさらに適切に決定することが可能な無線通信装置を得ることができる、という効果を奏する。
【００３２】
つぎの発明によれば、ＤＳＣＨに関する初期送信電力情報およびＴＰＣビットをＤＰＣＨの１つであるＤＰＣＣＨを用いて基地局へ通知する構成とした。これにより、ＤＰＣＨに対する送信電力制御に加えて、さらに、ＤＳＣＨに対する送信電力制御が可能となる、という効果を奏する。
【００３３】
つぎの発明によれば、移動局が基地局に対してＤＳＣＨ通信前に予めＤＳＣＨの回線品質情報または回線品質差分情報を通知することとしたため、ＤＳＣＨ通信の開始時から適切な回線品質でデータを受信することができる。これにより、送信電力不足による再送要求などのトラヒックを低減することができ、伴ってデータ受信遅延量を大幅に低減することができる、という効果を奏する。また、送信電力過多による他セルへの干渉電力を低減することが可能になるため、他セルにおける再送要求量を低減でき、伴ってデータ受信遅延量を低減することができる、という効果を奏する。
【００３４】
つぎの発明によれば、移動局が基地局に対してＤＳＣＨ通信中に所要送信電力判定要素を通知することとした。これにより、ＤＳＣＨ通信中であっても適切な回線品質でデータを受信することができる、という効果を奏する。
【００３５】
つぎの発明によれば、移動局が基地局に対してＤＳＣＨ通信中に所要送信電力判定要素を通知することとした。これにより、ＤＳＣＨ通信中であっても適切な回線品質でデータを受信することができる、という効果を奏する。
【００３６】
つぎの発明によれば、移動局がＤＳＣＨ用の送信電力制御をＤＳＣＨフレーム単位で行うこととした。これにより、フェージング等の受信レベル変動に動的に追従できる、という効果を奏する。また、基地局送信電力が動的にフェージングに追従することによって、基地局送信電力不足による再送要求などのトラヒックを低減でき、伴ってデータ受信遅延量を大幅に低減することができる、という効果を奏する。また、基地局送信電力過多による他セルへの干渉電力を低減することが可能になるため、他セルにおける再送要求量を低減でき、伴ってデータ受信遅延量を大幅に低減することができる、という効果を奏する。
【００３７】
つぎの発明によれば、移動局がＤＳＣＨ用の送信電力制御をＤＳＣＨスロット単位で行うこととした。これにより、フェージング等の受信レベル変動に、さらに高速に追従することができる、という効果を奏する。
【００３８】
つぎの発明によれば、バースト期間がある一定期間になると、移動局と基地局間の電波伝搬条件が変わってくるため、ある一定バースト期間後に初期送信電力値を更新することとした。これにより、基地局が次回の送信時の初期送信電力を適切に決定することが可能になるため、基地局送信電力不足による再送要求などのトラヒックを低減でき、伴ってデータ受信遅延量を低減することができる、という効果を奏する。また、基地局送信電力過多による他セルへの干渉電力を低減することが可能になるため、他セルにおける再送要求量を低減でき、伴ってデータ受信遅延量を低減することができる、という効果を奏する。
【００３９】
つぎの発明によれば、周期的に初期送信電力を更新する構成とした。これにより、基地局が次回の送信時の初期送信電力をさらに適切に決定できる、という効果を奏する。
【発明を実施するための最良の形態】
【００４０】
以下に、本発明にかかる無線通信装置および送信電力制御方法の実施の形態を図面に基づいて詳細に説明する。なお、この実施の形態によりこの発明が限定されるものではない。以降の実施の形態では、一例として、Ｗ−ＣＤＭＡ用の無線通信装置について説明する。
【００４１】
図１は、本発明にかかる無線通信装置（移動局）の構成を示す図である。図１において、１は複数の基地局から送信される無線信号を受信する受信アンテナであり、２は受信アンテナ１で受信したアナログの無線信号に対して帯域制限を行い、適切なパワーに信号を増幅する受信アナログ部であり、３は受信したアナログ信号の量子化を行ってディジタル信号に変換するＡ／Ｄ変換部（Ａ／Ｄ）であり、４は受信したディジタル信号から基地局タイミングやスクランブリングコードを特定するＲＡＫＥサーチャであり、５は複数の基地局から送信される無線信号や各基地局のマルチパス波を復調／合成する復調部であり、６は復調後の無線信号をデコードするデコード部であり、７は受信アナログ部２と復調部５から通知される受信情報に基づいて受信品質を計算し、さらに、当該受信品質や当該受信品質と基準品質との品質差を出力する受信品質計算部であり、８は復調後のデータから基準品質情報を抽出して受信品質計算部７に対して基準品質を通知し、受信品質と基準品質との品質差や受信品質、および基地局送信電力制御量を出力する制御部であり、９は受信したチャネル毎の回線品質情報に基づいてＴＰＣ（送信電力制御）ビットを生成するＴＰＣビット生成部であり、１０は制御部８から通知されるデータや音声データをコーディングするエンコード部であり、１１はＴＰＣビット等の制御情報や送信データをフレームにマッピングして変調する送信制御部であり、１２は送信制御部１１から通知されるディジタルデータをアナログデータに変換するＤ／Ａ変換部（Ｄ／Ａ）であり、１３は適切な送信電力になるように送信データのパワーを増幅する送信アナログ部であり、１４は増幅された送信データを無線信号として送信する送信アンテナである。なお、ＴＰＣｂｉｔ生成部９の処理についてはデータ制御部８で行うこととしてもよい。
【００４２】
ここで、上記のように構成される無線通信装置（移動局）における実施の形態の送信電力制御方法について説明する。図２は、実施の形態の送信電力制御方法を示す図である。
【００４３】
移動局では、ＤＳＣＨ（１つの物理チャネルをユーザ毎に時間多重して基地局から各移動局へデータを送信するための下り時分割物理チャネル）をｏｐｅｎすることにより、制御部８が初期送信電力を設定する（図２、ステップＳ１）。なお、ＤＳＣＨによるパケット伝送方式では、複数の端末で無線リソースを利用することができ、また、送信電力制御も適用できるため、効率的な伝送が可能となる。
【００４４】
そして、エンコード部１０が初期送信電力を送信データとしてエンコードし、送信制御部１１が当該送信データをマッピング／変調し、変調後の送信データをＤＰＣＨ（データと制御情報を送信するための個別物理チャネル）を用いて基地局へ通知後、移動局の制御部８では、ＤＳＣＨによる受信フレームまでのバースト（ＤＳＣＨ非受信期間）がｎフレーム以上ある場合（ステップＳ２，Ｙｅｓ）、その受信フレームより前に初期送信電力を設定し直す。また、ＤＳＣＨのｏｐｅｎ時点（ＤＳＣＨのリンク生成時点）で予めＤＳＣＨ受信フレームを基地局から通知されている場合は、最初のＤＳＣＨ受信フレームより数スロットあるいは数フレーム前に初期送信電力を設定する。
【００４５】
また、移動局では、ＤＳＣＨを利用して受信中に（ステップＳ２，Ｎｏ）、ＴＰＣビット生成部９が、基地局に対して送信電力の上げ下げまたは保持を指示するためのＴＰＣビットを生成する（ステップＳ３）。そして、送信制御部１１が、生成されたＴＰＣビットを、ＤＰＣＨの１つであるＤＰＣＣＨ（制御情報を送信するための個別制御物理チャネル）のＴＣＰビット設定エリアに設定する（ステップＳ４）。
【００４６】
以後、移動局では、ＤＳＣＨを利用して通信を行っている間（ステップＳ５，Ｎｏ）、上記動作を繰り返し実行する（ステップＳ１〜ステップＳ５）。
【００４７】
このように、本実施の形態においては、ＤＰＣＨに対する送信電力制御に加えて、さらに、ＤＳＣＨに対する送信電力制御が可能となる。
【００４８】
つぎに、移動局がＤＳＣＨ通信を行う前に初期送信電力を決定する場合の動作について説明する。図３は、移動局がＤＳＣＨ通信を行う前に初期送信電力を決定する場合の動作を示す図である。
【００４９】
移動局では、ＤＳＣＨのｏｐｅｎによって（図３、ステップＳ１１）、ＤＳＣＨ通信を行う基地局から送信されるＣＰＩＣＨ（Common  Pilot  Channel：基地局が複数の移動局に対してパイロットを送信するための下り共通パイロットチャネル）またはＤＰＣＣＨのパイロットを所定の手順で検波する。そして、移動局の受信品質計算部７が、当該パイロットの検波結果とＡＧＣ（Auto  Gain  Control）の制御利得から、Ｎスロット平均後あるいはＮフレーム平均後の回線品質情報（Eb/No,Ec/No,Es/No：エネルギー対雑音電力密度比，SIR：希望波受信電力対干渉信号電力比，RSSI：受信信号強度表示，RSCP：希望波受信電力）を計算する（ステップＳ１２）。
【００５０】
その後、移動局の受信品質計算部７では、上記回線品質情報から、基地局がＤＰＣＣＨにより送信した時と同じ送信パワーでＤＳＣＨによる送信を行った場合の、ＤＳＣＨの回線品質情報を計算する（ステップＳ１３）。たとえば、ＤＳＣＨのＥｓ／Ｉｏ（Ｉｏは干渉波電力）は、ＤＰＣＣＨのＥｓ／Ｉｏに基づいて、ＤＰＣＣＨの伝送レートとＤＳＣＨの伝送レートから求めることができる。なお、上記で求めた回線品質情報とターゲット品質値とを比較し、その差分を求めることとしてもよい。
【００５１】
移動局では、基地局とのＤＰＣＣＨを基準としたＤＳＣＨの回線品質情報または回線品質差分情報を、所定の手順で基地局に対して通知する（ステップＳ１４）。これにより、ＤＳＣＨの初期送信電力を決定することができる。ただし、ＤＰＣＣＨに基づいてＤＳＣＨの回線品質差分情報を求める場合は、ＤＰＣＣＨの受信フレーム番号を回線品質情報または回線品質差分情報とともに通知する。
【００５２】
このように、本実施の形態では、移動局が基地局に対してＤＳＣＨ通信前に予めＤＳＣＨの回線品質情報または回線品質差分情報を通知する構成としたため、ＤＳＣＨ通信の開始時から適切な回線品質でデータを受信することができる。これにより、送信電力不足による再送要求などのトラヒックを低減することができ、伴ってデータ受信遅延量を大幅に低減することができる。また、送信電力過多による他セルへの干渉電力を低減することが可能になるため、他セルにおける再送要求量を低減でき、伴ってデータ受信遅延量を低減することができる。
【００５３】
図４は、受信品質計算部７の詳細構成を示す図である。図４において、２１は回線品質計算部であり、受信アナログ部２から通知されるＡＧＣ利得と、復調部５から通知される各チャネルのパイロット受信情報と、制御部８から通知される制御情報、に基づいて各チャネルの回線品質を計算する。また、２２は品質差計算部であり、回線品質計算部２１出力の各チャネルの回線品質と、制御部８出力の各チャネルの基準品質と、を比較し、回線品質と基準品質との品質差を求める。この品質差はＴＰＣビット生成部９と制御部８へ通知する。
【００５４】
図５は、上記受信品質計算部７の第１の動作例を示す図である。移動局では、一旦ＤＳＣＨ通信が開始されると、ＤＳＣＨ通信を行う基地局から送信される下りＤＰＣＣＨのパイロットを検波し、回線品質計算部２１が、パイロットの検波結果とＡＧＣの制御利得から、Ｎスロット平均後またはＮフレーム平均後の回線品質情報(Eb/No,Ec/No,Es/No,SIR,RSSI,RSCP)を計算する（図５、ステップＳ３１）。
【００５５】
その後、移動局の回線品質計算部２１では、ＤＰＣＣＨの回線品質情報から、基地局がＤＰＣＣＨにより送信した時と同じ送信パワーでＤＳＣＨによる送信を行った場合の、ＤＳＣＨの回線品質情報を計算する（ステップＳ３２）。たとえば、ＤＳＣＨのＥｓ／Ｉｏは、ＤＰＣＣＨのＥｓ／Ｉｏに基づいて、ＤＰＣＣＨの伝送レートとＤＳＣＨの伝送レートから求めることができる。
【００５６】
そして、移動局の品質差計算部２２では、求めた回線品質情報とターゲット品質値とを比較し、その品質差を計算する（ステップＳ３３）。
【００５７】
また、図６は、上記受信品質計算部７の第２の動作例を示す図である。移動局では、一旦ＤＳＣＨ通信が開始されると、ＤＳＣＨ通信を行う基地局から送信されるＰＳＣＣＣＨ（Physical  Shared  Channel  Control  Channel：基地局が複数の移動局に対して時間多重でパイロットと制御情報を送信するための下り時分割制御物理チャネル）のパイロットを検波し、回線品質計算部２１が、パイロットの検波結果とＡＧＣの制御利得から、Ｎスロット平均後またはＮフレーム平均後のＰＳＣＣＣＨの回線品質情報(Eb/No,Ec/No,Es/No,SIR,RSSI,RSCP)を計算する（図６、ステップＳ４１）。
【００５８】
そして、移動局の品質差計算部２２では、求めた回線品質情報とターゲット品質値とを比較し、その品質差を計算する（ステップＳ４２）。
【００５９】
このように、本実施の形態においては、移動局が、基地局に対してＤＳＣＨ通信中に所要送信電力判定要素（受信品質計算部７の計算結果）を通知する構成としたため、ＤＳＣＨ通信中であっても適切な回線品質でデータを受信することができる。これにより、送信電力不足による再送要求などのトラヒックを低減することができ、伴ってデータ受信遅延量を大幅に低減することができる。また、送信電力過多による他セルへの干渉電力を低減することが可能になるため、他セルにおける再送要求量を低減でき、伴ってデータ受信遅延量を低減することができる。
【００６０】
なお、受信品質計算部７については、上記図４の構成に限らず、たとえば、図７に示すように構成してもよく、この場合についても図５または図６に示す動作を行う。図７は、図４とは異なる受信品質計算部７の詳細構成を示す図である。図７において、２１ａは回線品質計算部であり、受信アナログ部２から通知されるＡＧＣ利得と、復調部５から通知される各チャネルのパイロット受信情報と、制御部８から通知される制御情報、に基づいて各チャネルの回線品質を計算する。この回線品質は品質差計算部２２ａと制御部８へ通知する。また、２２ａは品質差計算部であり、回線品質計算部２１ａ出力の各チャネルの回線品質と、制御部８出力の各チャネルの基準品質と、を比較し、回線品質と基準品質との品質差を計算する。この品質差は、ＴＰＣビット生成部９へ通知する。
【００６１】
図８は、ＴＰＣビット生成部９の第１の詳細構成を示す図である。図８において、３１はｕｐ／ｄｏｗｎ判定部であり、ＤＰＣＨ用の品質差の正負判定を行い、受信品質のレベルが基準品質のレベルより高ければ基地局送信電力を下げるように制御し、受信品質のレベルが基準品質のレベルより低ければ基地局送信電力を上げるように制御する。また、３２はビット生成部であり、ＤＰＣＨ用のＴＰＣビットの生成処理を行う。ＴＰＣビットは、ｕｐ／ｄｏｗｎ判定部３１出力の情報と制御情報により、１ビットまたは２ビットで生成する(詳細は３ＧＰＰにて規定)。
【００６２】
また、３３はｕｐ／ｄｏｗｎ判定部であり、ＤＳＣＨ用の品質差の正負判定を行い、ｕｐ／ｄｏｗｎ判定部３１と同様に制御する。ｕｐ／ｄｏｗｎ判定部３３では、ＤＳＣＨ用のＴＰＣビットを２ビットとして用いる場合、下記のような制御を行う。たとえば、制御部８から基地局送信電力制御量を受け取り、品質差の絶対値が基地局送信電力制御量より小さい場合、下記（１）に示すように、送信電力の変更を行わない。一方、品質差の絶対値が基地局送信電力制御量より大きく、かつ受信品質のレベルが基準品質のレベルより高ければ、下記（２）に示すように、基地局送信電力を下げるように制御し、品質差の絶対値が基地局送信電力制御量より大きく、かつ受信品質のレベルが基準品質のレベルより低ければ、下記（３）に示すように、基地局送信電力を上げるように制御する。なお、上記制御は、基地局送信電力制御量に限らず、制御部８から与えられるしきい値を用いることとしてもよい。
【００６３】
（１）送信電力変更なし：｜受信品質−品質差｜≦基地局送信電力制御量
（２）送信電力ｕｐ：｛｜受信品質−品質差｜＞基地局送信電力制御量｝
＆＆｛（受信品質−品質差）＜０｝
（３）送信電力ｄｏｗｎ：｛｜受信品質−品質差｜＞基地局送信電力制御量｝
＆＆｛（受信品質−品質差）＞０｝
【００６４】
または、
（１）送信電力変更なし：｜受信品質−品質差｜＜基地局送信電力制御量
（２）送信電力ｕｐ：｛｜受信品質−品質差｜≧基地局送信電力制御量｝
＆＆｛（受信品質−品質差）＜０｝
（３）送信電力ｄｏｗｎ：｛｜受信品質−品質差｜≧基地局送信電力制御量｝
＆＆｛（受信品質−品質差）＞０｝
【００６５】
３４はＤＳＣＨ用のＴＰＣビットの生成処理を行うビット生成部であり、ｕｐ／ｄｏｗｎ判定部３３出力と制御データから１ビットか２ビットのＴＰＣビットを生成する。たとえば、ＴＰＣビットを２値判定する場合は、ＤＰＣＨと同様に送信電力ｕｐか送信電力ｄｏｗｎの２値構成とする。また、ＴＰＣビットの構成は、図９および図１０のように表す。なお、この例では、ｕｐを１としているが、ｕｐとｄｏｗｎの論理を入れ替えてもよい。また、変更なしを１としたが、変更無しと変更ありで論理を入れ替えてもよい。
【００６６】
３５はセレクタであり、移動局の送信スロット番号と制御データからＤＰＣＨ向けのＴＰＣビットか、ＤＳＣＨ向けのＴＰＣビットか、を選択し、各スロット番号に応じたＴＰＣビットを送信制御部１１へ通知する。
【００６７】
図１１は、上記ＴＰＣビット生成部９の第１の動作例（２値の場合）を示す図である。移動局のＴＰＣビット生成部９では、受け取った回線品質情報および基準品質に基づいてＴＰＣビットを生成する。なお、上りＤＰＣＣＨのＴＰＣビットを用いた送信電力制御方法においては、予めＤＳＣＨ用の送信電力制御量を決めておき、ＤＳＣＨ用の送信電力ｕｐ／ｄｏｗｎを通知するスロット（ＴＰＣビット通知スロット）とＤＰＣＣＨ用の送信電力ｕｐ／ｄｏｗｎを通知するスロット（ＴＰＣビット通知スロット）とを持つ。
【００６８】
Ｗ−ＣＤＭＡにおいてＤＰＣＣＨ上のＴＰＣビットはスロット毎に存在し、上りＤＰＣＣＨ上のＴＰＣビットをＤＰＣＨ用とＤＳＣＨ用のＴＰＣビット通知スロットにそれぞれ振り分ける。ＤＳＣＨ用のＴＰＣビット通知スロットは、ＤＰＣＨのフレームのスロット数（１５スロット）との最小公倍数を１周期（Ｔframe）として、ＳＬＯＴDSCHおきに割り当てられ、移動局のＴＰＣビット生成部９では、ＤＳＣＨ用のＴＰＣビット通知スロットの場合に（図１１、ステップＳ５１，Ｙｅｓ）、ＤＳＣＨ用のＴＰＣビットの生成処理を行う。
【００６９】
移動局では、ＤＳＣＨを用いてバースト的に送信された送信データを受け取り、たとえば、自局宛のＤＳＣＨが存在しない場合（ステップＳ５２，Ｎｏ）、ＴＰＣビット生成部９では、前回送信したＴＰＣビット値をホールドして送信する（ステップＳ５３）。一方、自局宛のＤＳＣＨが存在する場合は（ステップＳ５２，Ｙｅｓ）、受信品質と基準品質とを比較し（ステップＳ５４）、受信品質が基準品質を満たしていない場合（ステップＳ５４，Ｎｏ）、送信電力を上げるようにＴＰＣビットを生成し（ステップＳ５６）、受信品質が基準品質を満たしている場合は（ステップＳ５４，Ｙｅｓ）、送信電力を下げるようにＴＰＣビットを生成する（ステップＳ５５）。ただし、ステップＳ５１の処理において、ＤＳＣＨ用のＴＰＣスロットでない場合（ステップＳ５１，Ｎｏ）、ＴＰＣビット生成部９では、ＤＰＣＨの送信電力制御を行う（ステップＳ５７）。
【００７０】
図１２は、上記ＴＰＣビット生成部９の第２の動作例（３値の場合）を示す図である。ＴＰＣビットに、「送信電力を上げる」，「送信電力を下げる」，「パワー変更なし」の３通りの意味を持たせる場合は、上記（１）〜（３）に示すように、受信品質と基準品質との差の絶対値が予め規定したしきい値以上である場合に（図１２、ステップＳ６１，Ｙｅｓ）、上記と同様の２値判定を行い（ステップＳ５４）、受信品質と基準品質との差の絶対値がしきい値未満の場合に（ステップＳ６１，Ｎｏ）、送信電力を変更しないようにＴＰＣビットを生成する（ステップＳ６２）。
【００７１】
なお、上記の説明では、ＤＳＣＨのフレーム位置によってＤＳＣＨ用のＴＰＣビット通知スロットが変わる例を示したが、ＤＰＣＨフレーム内でＤＳＣＨ用のＴＰＣビット通知スロットを固定することとしてもよい。この場合、ＤＳＣＨ用のＴＰＣビットは、ＤＳＣＨ用のＴＰＣビット通知スロットに最も近いＤＳＣＨの受信結果に基づいて生成される。自局宛のＤＳＣＨが存在しない場合は、前回送信したＴＰＣビット値をホールドして送信し続ける。
【００７２】
また、１回の基地局送信電力制御量は予め設定しておくこととしてもよい。この場合、基地局送信電力制御量はシステム的に唯一の値でもよいし、移動局の移動速度に応じてｎ段階に分けて更新してもよい。図１３は、ＴＰＣビットの生成方法を示す図であり、図１４は、ＴＰＣビット生成の具体例を示す図である。
【００７３】
このように、本実施の形態においては、ＴＰＣビット生成部９の処理によって、移動局がＤＳＣＨ用の送信電力制御をＤＳＣＨフレーム単位で行う構成とした。これにより、フェージング等の受信レベル変動に動的に追従できる。また、基地局送信電力が動的にフェージングに追従することによって、基地局送信電力不足による再送要求などのトラヒックを低減でき、伴ってデータ受信遅延量を大幅に低減することができる。また、基地局送信電力過多による他セルへの干渉電力を低減することが可能になるため、他セルにおける再送要求量を低減でき、伴ってデータ受信遅延量を大幅に低減することができる。
【００７４】
図１５は、ＴＰＣビット生成部９の第２の詳細構成を示す図である。図１５において、３６はｕｐ／ｄｏｗｎ判定部であり、ＤＰＣＨ用の品質差の正負判定を行い、受信品質のレベルが基準品質のレベルより高ければ基地局送信電力を下げるように制御し、受信品質のレベルが基準品質のレベルより低ければ基地局送信電力を上げるように制御する。３７はビット生成部であり、ＤＰＣＨ用のＴＰＣビットの生成処理を行う。ＴＰＣビットはｕｐ／ｄｏｗｎ判定部３６出力の情報により、１ビットで生成する。
【００７５】
また、３８はｕｐ／ｄｏｗｎ判定部であり、ＤＳＣＨ用の品質差の正負判定を行い、ｕｐ／ｄｏｗｎ判定部３６と同様に制御する。３９はＤＳＣＨ用のビット生成部であり、ｕｐ／ｄｏｗｎ判定部３８出力からＴＰＣビットを生成する。たとえば、自局宛のＤＳＣＨが存在する場合は、判定結果によって１か０をＴＰＣビットに割り当てるが、自局宛のＤＳＣＨが存在しない場合は、最後に生成した自局宛のＴＰＣビットを割り当てる。または、自局宛のＤＳＣＨが存在しない場合、ＴＰＣビットを１か０に設定する。
【００７６】
図１６は、上記ＴＰＣビット生成部９の動作例を示す図である。ここでは、上りＴＰＣビットが２ビット構成である場合に、スロット毎にＤＰＣＨ用およびＤＳＣＨ用のＴＰＣビットを送信する。
【００７７】
上りＤＰＣＣＨのＴＰＣビットを用いた送信電力制御方法では、ＤＳＣＨ通信時に、上りＤＰＣＣＨのＴＰＣビットを２ビット構成とし、下りＤＰＣＨ用のパワーコントロールビットを１ビットとし、ＤＳＣＨ用のパワーコントロールビットを１ビットとし、送信電力のｕｐ／ｄｏｗｎだけを通知する。そして、ＴＰＣビットのＭＳＢをＤＰＣＨ用に、ＴＰＣビットのＬＳＢをＤＳＣＨ用に、あるいは、ＴＰＣビットのＭＳＢをＤＳＣＨ用に、ＴＰＣビットのＬＳＢをＤＰＣＨ用に、それぞれ割り当てることによって、ＤＰＣＨとＤＳＣＨについてスロット毎の制御が可能となる。
【００７８】
具体的にいうと、ＤＳＣＨ用のＴＰＣビット通知スロットはスロット毎に存在するので、ＴＰＣビット生成部９では、ＤＰＣＨの回線品質評価を全スロットで行う（図１６、ステップＳ７１）。
【００７９】
一方、自局宛のＤＳＣＨが存在しない場合（ステップＳ７２，Ｎｏ）、ＴＰＣビット生成部９では、前回送信したＴＰＣビット値をホールドして送信し続ける（ステップＳ７６）。あるいは、０か１でＴＰＣビットを形式的に埋める。ただし、１回の基地局送信電力制御量は予め設定しておく。この場合、基地局送信電力制御量は、システム的に唯一の値でもよいし、移動局の移動速度に応じてｎ段階に分けて更新することとしてもよい。また、自局宛のＤＳＣＨが存在する場合は（ステップＳ７２，Ｙｅｓ）、図１１および図１２と同様に２値判定を行う（ステップＳ５４）。
【００８０】
このように、本実施の形態においては、ＴＰＣビット生成部９の処理によって、移動局がＤＳＣＨ用の送信電力制御をＤＳＣＨスロット単位で行う構成とした。これにより、上記図８と比較して、フェージング等の受信レベル変動に、さらに高速に追従することができる。
【００８１】
図１７は、制御部８内の品質差および品質情報をエンコード部１０へ設定する部分の詳細構成例を示す図である。図１７において、４１は比較部であり、前回のＤＳＣＨ送信のフレーム番号（あるいはスロット番号）と次回のＤＳＣＨ送信のフレーム番号（あるいはスロット番号）とのＤＳＣＨ送信フレーム差を、バーストしきい値と比較する。また、４２はデータ送信制御部であり、ＤＳＣＨ送信フレーム差がバーストしきい値より大きい場合に、次回のＤＳＣＨ送信のフレームよりｎフレーム（あるいはスロット）前に、品質差または品質情報をエンコーダに設定する。
【００８２】
図１８は、移動局が受信するＤＳＣＨの間隔がある一定間隔以上離れている場合の制御部８の初期送信電力設定方法を示す図である。なお、ＤＳＣＨを用いた通信では、移動局に対してデータがバースト的に送信され、バースト期間は任意に決定される。また、移動局では、ＤＳＣＨを物理的にｏｐｅｎしていながら受信していない時間が存在する。
【００８３】
移動局の制御部８では、基地局が自移動局に対して送信するバースト期間（Ｔburst）を求め（図１８、ステップＳ８１）、このバースト期間が予め設定したしきい値（ＴＨ）より長い場合（ステップＳ８２，Ｙｅｓ）、基地局に対して初期送信電力決定要素を再通知するように制御する。なお、初期送信電力決定要素の求め方については、図５に示す方法と同様である。
【００８４】
具体的にいうと、移動局では、予め基地局から次回のＤＳＣＨ送信タイミングを通知されているので、次回のＤＳＣＨ送信タイミングよりｎスロット前に、あるいは、ｍフレーム前に、基地局に対して初期送信電力決定要素を再通知する（ステップＳ８３）。
【００８５】
このように、本実施の形態においては、バースト期間がある一定期間になると、移動局と基地局間の電波伝搬条件が変わってくるため、前回送信したＤＳＣＨの送信電力は意味が無くなり、基地局送信電力過多，過少が発生する。そのため、制御部８の処理によって、ある一定バースト期間後に初期送信電力値を更新する構成とした。これにより、基地局が次回の送信時の初期送信電力を適切に決定することが可能になるため、基地局送信電力不足による再送要求などのトラヒックを低減でき、伴ってデータ受信遅延量を低減することができる。また、基地局送信電力過多による他セルへの干渉電力を低減することが可能になるため、他セルにおける再送要求量を低減でき、伴ってデータ受信遅延量を低減することができる。
【００８６】
図１９は、図１７とは異なる、制御部８内の品質差および品質情報をエンコード部１０へ設定する部分の詳細構成を示す図である。図１９において、５１はスロットまたはフレームをカウントするカウンタであり、ＤＳＣＨを物理的にｏｐｅｎする時に１度だけフレームの先頭または末尾においてクリアされる。また、５２は比較部であり、カウンタ５１がカウントしたスロット数またはフレーム数をカウントし、カウント値がバースト周期であるかどうかを判断する。また、５３はデータ送信制御部であり、比較部５２がバースト周期であると判断した場合に、品質差または品質情報をエンコード部１０へ設定する。
【００８７】
図２０は、移動局が基地局に対して周期的に初期送信電力を通知する場合の制御部８の初期送信電力設定方法を示す図である。なお、ＤＳＣＨを用いた通信では、移動局に対してデータがバースト的に送信され、バースト期間は任意に決定される。また、移動局では、ＤＳＣＨを物理的にｏｐｅｎしていながら、受信していない時間が存在する。
【００８８】
移動局の制御部８では、チャネルオープン後にスロット数かフレーム数をカウントし、予め設定した一定周期（Ｐburst）毎に（図２０、ステップＳ９１）、基地局に対して初期送信電力決定要素を再通知するように制御する（ステップＳ９２）。なお、初期送信電力決定要素の求め方については、図５に示す方法と同様である。
【００８９】
このように、本実施の形態においては、制御部８の処理によって、周期的に初期送信電力を更新する構成とした。これにより、基地局が次回の送信時の初期送信電力をさらに適切に決定できる。
【産業上の利用可能性】
【００９０】
以上のように、本発明にかかる無線通信装置および送信電力制御方法は、移動体無線通信に有用であり、特に、移動体無線通信において、上りＤＰＣＨを用いてＤＳＣＨの送信電力を制御する場合に適している。
【図面の簡単な説明】
【００９１】
【図１】本発明にかかる無線通信装置（移動局）の構成を示す図である。
【図２】実施の形態１の送信電力制御方法を示す図である。
【図３】移動局がＤＳＣＨ通信を行う前に初期送信電力を決定する場合の動作を示す図である。
【図４】受信品質計算部の詳細構成例を示す図である。
【図５】受信品質計算部の第１の動作例を示す図である。
【図６】受信品質計算部の第２の動作例を示す図である。
【図７】受信品質計算部の詳細構成例を示す図である。
【図８】ＴＰＣビット生成部の第１の詳細構成を示す図である。
【図９】ＴＰＣビットの構成を示す図である。
【図１０】ＴＰＣビットの構成を示す図である。
【図１１】ＴＰＣビット生成部の第１の動作例（２値の場合）を示す図である。
【図１２】ＴＰＣビット生成部の第２の動作例（３値の場合）を示す図である。
【図１３】ＴＰＣビットの生成方法を示す図である。
【図１４】ＴＰＣビット生成の具体例を示す図である。
【図１５】ＴＰＣビット生成部の第２の詳細構成を示す図である。
【図１６】ＴＰＣビット生成部の動作例を示す図である。
【図１７】制御部内の品質差および品質情報をエンコード部へ設定する部分の詳細構成例を示す図である。
【図１８】移動局が受信するＤＳＣＨの間隔がある一定間隔以上離れている場合の制御部の初期送信電力設定方法を示す図である。
【図１９】制御部内の品質差および品質情報をエンコード部へ設定する部分の詳細構成例を示す図である。
【図２０】移動局が基地局に対して周期的に初期送信電力を通知する場合の制御部の初期送信電力設定方法を示す図である。
【符号の説明】
【００９２】
１  受信アンテナ
２  受信アナログ部
３  Ａ／Ｄ変換部（Ａ／Ｄ）
４  ＲＡＫＥサーチャ
５  復調部
６  デコード部
７  受信品質計算部
８  制御部
９  ＴＰＣビット生成部
１０  エンコード部
１１  送信制御部
１２  Ｄ／Ａ変換部（Ｄ／Ａ）
１３  送信アナログ部
１４  送信アンテナ
２１，２１ａ  回線品質計算部
２２，２２ａ  品質差計算部
３１，３３，３６，３８  ｕｐ／ｄｏｗｎ判定部
３２，３４，３７，３９  ビット生成部
３５  セレクタ
４１，５２  比較部
４２，５３  データ送信制御部
５１  カウンタ
【図１】
2006254504.tif 000003
【図２】
2006254504.tif 000004
【図３】
2006254504.tif 000005
【図４】
2006254504.tif 000006
【図５】
2006254504.tif 000007
【図６】
2006254504.tif 000008
【図７】
2006254504.tif 000009
【図８】
2006254504.tif 000010
【図９】
2006254504.tif 000011
【図１０】
2006254504.tif 000012
【図１１】
2006254504.tif 000013
【図１２】
2006254504.tif 000014
【図１３】
2006254504.tif 000015
【図１４】
2006254504.tif 000016
【図１５】
2006254504.tif 000017
【図１６】
2006254504.tif 000018
【図１７】
2006254504.tif 000019
【図１８】
2006254504.tif 000020
【図１９】
2006254504.tif 000021
【図２０】
2006254504.tif 000022